(57)【要約】【課題】簡便な構成により異物の少ない試料液を供給することができる受液槽装置を提供する。【解決手段】円筒状の受水槽１と、受水槽１内にサンプル水２を導入する導入管３と、受水槽１内に導入されたサンプル水２のオーバーフロー水７を排出するために受水槽１側壁に形成された排出管７と、受水槽１内に導入されたサンプル水２に、受水槽１内にて旋回流９を発生する撹拌翼１０と、受水槽１内に導入されたサンプル水２を排出管８より下方位置、かつ、導入管３より上方位置、かつ、受水槽１の平面上の中心位置に導出口６ａを有するとともに導出口６ａから下方に向かってサンプル水２の一部を試料水５として受水槽１外に導出する導出管６とを備える。【選択図】図１
2014182043.tif 000002
【特許請求の範囲】
【請求項１】
円筒状の受液槽と、
上記受液槽内にサンプル液を導入する導入管と、
上記受液槽内に導入された上記サンプル液のオーバーフロー分を排出するために上記受液槽側壁に形成された排出管と、
上記受液槽内に導入された上記サンプル液に、上記受液槽内にて旋回流を発生する旋回流発生部と、
上記受液槽内に導入された上記サンプル液を上記排出管より下方位置、かつ、上記導入管より上方位置、かつ、上記受液槽の平面上の中心位置に導出口を有するとともに上記導出口から下方に向かって上記サンプル液の一部を試料液として上記受液槽外に導出する導出管とを備えた受液槽装置。
【請求項２】
上記旋回流発生部は、上記受液槽内の底部に上記受液槽の軸を中心に回転するように配設された撹拌翼にて構成される請求項１に記載の受液槽装置。
【請求項３】
上記旋回流発生部は、上記導入管に連接して上記受液槽内の側壁に沿ってスパイラル状に配設されたチューブ部にて構成される請求項１に記載の受液槽装置。
【請求項４】
上記導入管を、上記受液槽側壁の接線方向から上記サンプル液を上記受液槽内に導入する位置に形成し、
上記排出管を、上記受液槽側壁の接線方向から上記サンプル液のオーバーフロー分を上記受液槽外に排出する位置に形成するとともに、上記導入管から上記受液槽内に導入された上記サンプル液の流れる方向に開口されて形成し、
上記旋回流発生部は、当該導入管および当該排出管にて構成される請求項１に記載の受液槽装置。
【請求項５】
請求項１から請求項４のいずれか１項に記載の受液槽装置は、採水式水質計器の前段部に設置され、上記導出管から導出した上記試料液を上記採水式水質計器に送出する受液槽装置。
【発明の詳細な説明】
【技術分野】
【０００１】
この発明は、簡便な構成により異物の少ない試料液を液質計器に供給することができる受液槽装置に関するものである。
【背景技術】
【０００２】
従来の受液槽装置は、水質測定の前段部に、粒子を除去するために検水にサイクロンを発生させることにより上昇水流をおこし、それにより上部から検査用の水を採取するものである（例えば、特許文献１参照）。
【先行技術文献】
【特許文献】
【０００３】
【特許文献１】特開２００９−９２４５６号公報（図１３）
【発明の概要】
【発明が解決しようとする課題】
【０００４】
従来の受液槽装置は、検水の異物を除去するためにサイクロンを発生させ上昇水流をおこすとともに、上方向に採水を行っているため構成が複雑になるという問題点があった。
【０００５】
この発明は上記のような課題を解決するためになされたものであり、簡便な構成にて異物の少ない試料液を供給できる受液槽装置を提供することを目的とする。
【課題を解決するための手段】
【０００６】
この発明の受液槽装置は、
円筒状の受液槽と、
上記受液槽内にサンプル液を導入する導入管と、
上記受液槽内に導入された上記サンプル液のオーバーフロー分を排出するために上記受液槽側壁に形成された排出管と、
上記受液槽内に導入された上記サンプル液に、上記受液槽内にて旋回流を発生する旋回流発生部と、
上記受液槽内に導入された上記サンプル液を上記排出管より下方位置、かつ、上記導入管より上方位置、かつ、上記受液槽の平面上の中心位置に導出口を有するとともに上記導出口から下方に向かって上記サンプル液の一部を試料液として上記受液槽外に導出する導出管とを備えたものである。
【発明の効果】
【０００７】
この発明の受液槽装置は、上記のように構成されているため、
簡便な構成にて異物の少ない試料液を供給できる。
【図面の簡単な説明】
【０００８】
【図１】この発明の実施の形態１の受液槽装置の構成を示す図である。
【図２】図１に示した受液槽装置の採水方法を示す図である。
【図３】この発明の実施の形態２の受液槽装置の構成を示す図である。
【図４】図３に示した受液槽装置の採水方法を示す図である。
【図５】この発明の実施の形態３の受液槽装置の構成を示す図である。
【図６】図４に示した受液槽装置の採水方法を示す図である。
【発明を実施するための形態】
【０００９】
実施の形態１．
以下、本願発明の実施の形態について説明する。図１はこの発明の実施の形態１における受液槽装置の構成を示す平面図および側面図、図２は図１に示した受液槽装置の採水方法を示す図である。図において、受液槽装置は、円筒形の受水槽１と、サンプル水２を受水槽１の底部から受水槽１内に導入するための導入管３と、サンプル水２の受水槽１からのサンプル水２のオーバーフロー分としてのオーバーフロー水７を排出するため受水槽１の側壁に形成された排出管８と、受水槽１内に導入されたサンプル水２に、受水槽１内にて旋回流９を発生させる旋回流発生部としての、受水槽１内の底部に受水槽１の軸を中心に回転するように配設された撹拌翼１０とを備える。
【００１０】
さらに、受水槽１内に導入されたサンプル水２を排出管８より下方位置、かつ、導入管３より上方位置、かつ、受水槽１の平面上の中心位置、すなわち、受水槽１内の中央部に導出口６ａを有するとともに、当該導出口６ａから下方に向かってサンプル水２の一部を試料水５として受水槽１外に導出する導出管６とを備えている。このように構成された、受液槽装置は、採水式水質計器の前段部に設置され、採水式水質計器に試料水５を送出するものである。そして、サンプル水２には異物４が混入されている。
【００１１】
次に上記のように構成された実施の形態１の受液槽装置の動作について説明する。まず、受水槽１内には、サンプル水２が受水槽１の底部から導入管３を介して導入される。
このサンプル水２には、ゴミや気泡等の異物４が混入している。よって、この状態のままでサンプル水２を後段の採水式水質計器に供給すると、正確な測定を阻害する要因となる。よって、受水槽１にて撹拌翼１０をモータ（図示せず）等、駆動装置を用いて回転させ、受水槽１内のサンプル水２に旋回流９を発生させる。
【００１２】
この旋回流９によって発生した遠心力により、サンプル水２の異物４は受水槽１の外周部（受水槽１の中央部以外の箇所）に集まり、受水槽１の中心部では異物４の分布が少なくなる（図２）。また、オーバーフロー水７は、排出管８より外部に排出される。この状態、すなわち、受水槽１の中心部の異物４の分布が少なくなっている箇所の導出口６ａから下方に向かってサンプル水２の一部を試料水５として導出管６を介して受水槽１の外部に導出する。よって、この試料水５には、異物４がほとんど含まれていない。この際、試料水５は重力により導出管６から受水槽１の外部に導出できるものであり、外部に導出するための吸引装置等の駆動装置を必要としない。そして、この試料水５を後段にある、採水式水質計器に供給する。
【００１３】
上記のように構成された実施の形態１の受液槽装置によれば、導出管という簡便な構成にて、サンプル水の異物が少なくなった一部を試料水として外部に供給できる。従って、異物の混入が抑制された試料水を採水式水質計器に供給することができ、メンテナンス性の優れた装置を得ることができる。また、簡便な構成にて形成することができるため、受液槽装置としての減量化が可能となり、さらに、長期使用が可能となる。
【００１４】
実施の形態２．
図３はこの発明の実施の形態２における受液槽装置の構成を示す平面図および側面図、図４は図３に示した受液槽装置の採水方法を示す図である。上記実施の形態１では、旋回流９を発生させる方法として、撹拌翼１０を回転させて発生される場合について述べたが、本実施の形態２においては他の構成の場合について説明する。
【００１５】
図において、上記実施の形態１と同様の部分は同一符号を付して説明を省略する。受水槽１内に導入されたサンプル水２に、受水槽１内にて旋回流９を発生させる旋回流発生部としての、導入管３に連接して受水槽１内の側壁に沿ってスパイラル状に配設されたチューブ部１８が構成されている。よって、このチューブ部１８から導入されたサンプル水２は、図４に示すように、受水槽１内の側壁に沿って回転するように導入されることとなり、サンプル水２に旋回流９を発生することができる。
【００１６】
上記のように構成された実施の形態２の受液槽装置によれば、上記実施の形態１と同様の効果を奏するとともに、上記実施の形態１のように旋回流を発生させるためにモータ等の駆動装置が不要であり構造を簡略化できる。
【００１７】
実施の形態３．
図５はこの発明の実施の形態３における受液槽装置の構成を示す平面図および側面図、図６は図５に示した受液槽装置の採水方法を示す図である。上記各実施の形態では、旋回流９を発生させる方法として、構造物を追加することにより対応する場合について示したが、本実施の形態３においては構造物を追加すること無く、必要となる構造物の配置を適宜変更することにより対応する構成について説明する。
【００１８】
図において、上記各実施の形態と同様の部分は同一符号を付して説明を省略する。サンプル水２を受水槽１内に導入するための導入管３０を、受水槽１側壁の接線方向からサンプル水２を受水槽１内に導入する位置に形成する。また、サンプル水２の受水槽１からオーバーフロー水７を排出するため受水槽１の側壁に形成された排出管８０を、受水槽１側壁の接線方向からオーバーフロー水７を受水槽１外に排出する位置に形成するとともに、導入管３０から受水槽１内に導入されたサンプル水２の流れる方向に開口されて形成する。ここでは、受水槽１の１８０度異なる位置に形成する例を示している（図５（ａ）参照）。これら導入管３０および排出管８０により、受水槽１内に導入されたサンプル水２に、受水槽１内にて旋回流９を発生させる旋回流発生部が構成されることとなる。
【００１９】
よって、図６に示すように、導入管３０からサンプル水２が受水槽１内の側壁に沿って流入されながら、排出管８０からオーバーフロー水７として排出されるため、受水槽１内の側壁に沿って回転するように導入され排出されることとなり、サンプル水２に旋回流９を発生することができる。
【００２０】
上記のように構成された実施の形態３の受液槽装置によれば、上記各実施の形態と同様の効果を奏するとともに、導入管と排出管との各配置を適宜設定することで、旋回流を発生させることができるため、特別な構造物が不要であり、さらに構成の簡略化が可能となる。
【００２１】
尚、上記各実施の形態においては、サンプル水として水を例に示したが、これに限られることは無く、異物を含む液であれば、上記各実施の形態と同様に行うことができ、同様の効果を奏することができる。
【００２２】
尚、本発明は、その発明の範囲内において、各実施の形態を自由に組み合わせたり、各実施の形態を適宜、変形、省略することが可能である。
【符号の説明】
【００２３】
１  受水槽、２  サンプル水、３  導入管、４  異物、５  試料水、６  導出管、
６ａ  導出口、７  オーバーフロー水、８  排出管、９  旋回流、１０  撹拌翼、
１８  チューブ管、２０  導入管、８０  排出管。
【図１】
2014182043.tif 000003
【図２】
2014182043.tif 000004
【図３】
2014182043.tif 000005
【図４】
2014182043.tif 000006
【図５】
2014182043.tif 000007
【図６】
2014182043.tif 000008